(57)【特許請求の範囲】
【請求項１】
土壌に芝苗を蒔き、続いて、前記芝苗が隠れるように目土を施すとともに該目土に肥料を設け、この目土に芝種を蒔いた後、前記目土に凹み部を形成し、続いて、前記芝苗及び前記芝種を蒔いた領域を貫通孔が複数散在された下記のシート材で被覆し、前記シート材の周縁部を前記土壌に固定することを特徴とする芝生の育成方法。
記
前記シート材は、施工場所における気温や地温などの温度条件に合わせて前記貫通孔の散在密度を異ならせて用意した複数枚のシート材から選択されるものであり、更に、前記各シート材は、光透過性を有するものである。
【請求項２】
請求項１記載の芝生の育成方法において、前記凹み部は前記目土にバギータイヤを走らせて形成することを特徴とする芝生の育成方法。
【請求項３】
請求項１，２いずれか１項に記載の芝生の育成方法において、前記シート材を該シート材の周縁部に刺した固定釘により前記土壌に固定することを特徴とする芝生の育成方法。
【請求項４】
請求項１〜３いずれか１項に記載の芝生の育成方法において、前記芝苗及び前記芝種を蒔いた領域を複数の前記シート材で被覆し、隣接する前記シート材の端部同士はオーバーラッピング状態とすることを特徴とする芝生の育成方法。
【発明の詳細な説明】
【技術分野】
【０００１】
本発明は、芝生の育成方法に関するものである。
【背景技術】
【０００２】
近年、ゴルフ場やサッカー場などのスポーツ施設における芝生の育成や、学校の校庭やビルの屋上における緑化を目的とした芝生の育成が盛んに行われている。
【０００３】
この芝生の育成方法としては、施工場所となる土壌に芝種を蒔いて育成する播種工法や、芝種を施工場所と異なる別の場所で苗まで育て、この芝苗を施工場所に持ち込んで土壌に蒔いて育成する蒔き芝工法が一般的である。
【発明の開示】
【発明が解決しようとする課題】
【０００４】
ところが、芝生の育成は、施工場所における温度（気温や地温）が低い冬の時期と、温度（気温や地温）が高い夏の時期は特に困難とされており（１２〜３月の時期は土壌の熱が奪われて地温が極端に下がってしまい、４〜６月の土壌が乾燥し易い時期は土壌の水分が蒸発して不足しがちになるからである。）、この自然環境に応じた芝生の育成方法が確立されていないのが現状である。尚、この問題は施工場所の面積が広くなるにつれて顕著となる。
【０００５】
本発明者は、上述の問題点に着目し、種々の実験・研究を行った結果、従来にない画期的な芝生の育成方法を開発した。
【課題を解決するための手段】
【０００６】
添付図面を参照して本発明の要旨を説明する。
【０００７】
土壌Ｅに芝苗１ａを蒔き、続いて、前記芝苗１ａが隠れるように目土７を施すとともに該目土７に肥料を設け、この目土７に芝種１ｂを蒔いた後、前記目土７に凹み部９を形成し、続いて、前記芝苗１ａ及び前記芝種１ｂを蒔いた領域を貫通孔２が複数散在された下記のシート材３で被覆し、前記シート材３の周縁部を前記土壌Ｅに固定することを特徴とする芝生の育成方法に係るものである。                                            
記
前記シート材３は、施工場所における気温や地温などの温度条件に合わせて前記貫通孔２の散在密度を異ならせて用意した複数枚のシート材から選択されるものであり、更に、前記各シート材３は、光透過性を有するものである。
【０００８】
また、請求項１記載の芝生の育成方法において、前記凹み部９は前記目土７にバギータイヤ８を走らせて形成することを特徴とする芝生の育成方法に係るものである。
【０００９】
また、請求項１，２いずれか１項に記載の芝生の育成方法において、前記シート材３を該シート材３の周縁部に刺した固定釘５により前記土壌Ｅに固定することを特徴とする芝生の育成方法に係るものである。
【００１０】
また、請求項１〜３いずれか１項に記載の芝生の育成方法において、前記芝苗１ａ及び前記芝種１ｂを蒔いた領域を複数の前記シート材３で被覆し、隣接する前記シート材３の端部同士はオーバーラッピング状態とすることを特徴とする芝生の育成方法に係るものである。
【発明の効果】
【００１１】
本発明は上述のように構成したから、自然環境に応じて簡易且つ確実に芝生を育成することができる従来にない画期的な芝生の育成方法となる。
【発明を実施するための最良の形態】
【００１２】
好適と考える本発明の実施形態を、図面に基づいて本発明の作用を示して説明する。
【００１３】
土壌Ｅに芝種や芝苗などの芝材１を設け、この芝材１を設けた領域を貫通孔２が複数散在されたシート材３で被覆する。
【００１４】
本発明は、このシート材３により、例えば芝生の育成が困難とされる季節であっても常に芝生の育成に適した環境が得られ、自然環境に応じて簡易且つ確実に良好な芝生を育成することができる。
【００１５】
寒い時期にこのシート材３で芝材１を蒔いた領域を被覆して育成した場合、シート材３は、土壌Ｅから放出される熱が放散しないように熱遮断機能を発揮し、芝生の育成に必要な温度が保持される。
【００１６】
また、シート材３は必要な水分は保持しつつ複数設けた通気孔２から不要な水分を外部へ排出する機能を発揮するとともに、土壌Ｅから発生する有害なガス（芝生の育成に障害となるガス）を排出し、また、外部から新鮮な空気を取り入れ空気の入れ替え機能も発揮することになり、芝生の育成に適した環境が得られることになる。
【００１７】
一方、比較的温度が高く雨量の少ない時期にこのシート材３で芝材１を蒔いた領域を被覆して育成した場合、シート材３は、土壌Ｅから蒸発する水分を受け止めて芝生の育成に必要な水分が散逸しないように水分保持機能を発揮し（暑い時期は水分が不足しがちとなる。）、芝生の育成に必要な水分が確保される。
【００１８】
また、シート材３に複数設けた通気孔２から土壌Ｅから放出される熱を外部へ排出するとともに、土壌Ｅから発生する有害なガス（芝生の育成に障害となるガス）を排出して外部との新鮮な空気の入れ替え機能も発揮することになり、芝生の育成に適した環境が得られることになる。
【００１９】
この点については、本発明者は実験により確認している。
【００２０】
従って、常に芝生の育成に適した環境が得られ、自然環境に応じて簡易且つ確実に良質な芝生を育成することができ、しかも、安定した環境により芝生を育成することができる為、良質な芝生の迅速な育成が可能となり、そして更に、散水等の作業が軽減できる為、コスト面にも秀れることになる。
【００２１】
また、本発明は、シート材３により土壌Ｅに蒔いた芝材１が風雨などで移動してしまうことを確実に防止することができ、ムラのない均一な芝生を育成することができる。
【００２２】
また、本発明は、施工場所における気温や地温などの温度条件に合わせて貫通孔２の散在密度の異なるシート材３を使い分けることで、より一層自然環境に応じて芝生の育成に適した環境が得られることになる。
【００２３】
即ち、例えば比較的寒い時期に使用するシート材３として、後述する暑い時期で使用されるシート材３よりも貫通孔２の散在密度の粗い（貫通孔２同士の間隔が広い）シート材３を使用した場合、それだけ保温機能が発揮されることになり、一方、例えば比較的暑い時期に使用するシート材３として、前述した寒い時期に使用されるシート材３よりも貫通孔２の散在密度の細かい（貫通孔２同士の間隔が狭い）シート材３を使用した場合、通気性が良い分、土壌Ｅから蒸発する水分を適度に逃がしてシート材３の内側が蒸れるのを防止する機能を発揮することになる（余分な水分はかえって芝生の育成に害を及ぼす。）。
【００２４】
また、本発明は、シート材３として光透過性のシート材３を採用した場合には、芝生の育成に必要な光を取り入れることができ、しかも、芝生の育成度合いの確認もシート材３を被覆した状態で確実に行なえることになる。
【実施例】
【００２５】
本発明の具体的な実施例について図面に基づいて説明する。
【００２６】
本実施例は、土壌Ｅに芝苗１ａや芝種１ｂなどの芝材１を蒔き、この芝材１を蒔いた領域を複数の貫通孔２が散在されたシート材３で被覆する芝生Ｇの育成方法である。尚、本実施例は、芝生Ｇを育成する施工場所がゴルフ場の場合であるが、これに限らず、例えば学校の校庭やビルの屋上など本実施例の特性を発揮し得る場所であればどのような場所でも良い。
【００２７】
このシート材３は、図１，２に図示したように適宜な透明の合成樹脂（ポリエチレン）で形成したものであり、その表面には複数の貫通孔２が散在形成されている。
【００２８】
この貫通孔２は、通気性・通水性を発揮する直径約１．８ｍｍ程度の円形の孔である。
【００２９】
また、シート材３は、貫通孔２の散在密度の異なる（各貫通孔２同士の間隔が異なる）２種類のシート材３を用意する。具体的には、貫通孔２同士の間隔が、約０．６ｍｍ〜約１０ｍｍ程度の間隔の狭い（散在密度の細かい）シート材３と、約１１ｍｍ〜２０ｍｍ程度の間隔の広い（散在密度の粗い）シート材３を用意している。尚、この貫通孔２の散在密度の細かい・粗いを決める貫通孔２同士の間隔は、前述したものに限らず、本実施例の特性を発揮する数値であれば適宜設定し得るものである。
【００３０】
この２種類のシート材３は、芝生Ｇを育成する自然環境（気温や地温）を考慮して設計されたもので、適宜使い分ける（貫通孔２の径は同一で貫通孔２同士の間隔を異ならせて寒い時期に使用されるシート材３と気温の暑い時期に使用されるシート材３とを使い分ける。）
即ち、気温の寒い時期に使用されるシート材３は（後述する気温の暑い時期に使用されるシート材３よりも貫通孔２は同一径であるが貫通孔２同士の間隔が広いシート材３）、十分な保温機能を発揮させる為、貫通孔２の散在密度が粗く（貫通孔２同士の間隔が広く）設定され、一方、気温の暑い時期に使用されるシート材３は（前述した気温の寒い時期に使用されるシート材３よりも貫通孔２は同一径であるが貫通孔２同士の間隔が狭いシート材３）、土壌Ｅから蒸発する水分を逃がし易くする為、前述した寒期用シート材３に比して貫通孔２の散在密度が細かく（貫通孔２同士の間隔が狭く）設定されている。本実施例では、寒い時期に使用されるシート材３に設けられる貫通孔２の散在密度は、芝生Ｇの育成に必要な水分の通過機能を確保しつつ、被覆した箇所の地温を５℃以上に保温する程度の保温機能を発揮するように設定される。
【００３１】
また、芝生Ｇには、寒地型芝草と暖地型芝草とがあり、寒地型芝草（ベントグラス、ケンタッキーブルーグラス、トールフェスク、ライグラス等）の目安とされる成育気温は約１５℃〜２５℃とされ、暖地型芝草（野芝、コウライシバ、バミューダグラス等）の目安とされる育成気温は約２５℃〜３５℃とされている。
【００３２】
従って、この温度によるシート材３の使い分けは、植物夫々が持つ育成可能気温により寒い時期・暑い時期が考慮されて適宜選択されるものであり、寒地型芝草の場合は貫通孔２同士の間隔が広いシート材３を用い、暖地型芝草の場合は貫通孔２同士の間隔が狭いシート材３を用いる。
【００３３】
以上の構成からなるシート材３を使用したゴルフ場のグリーンにおける芝生Ｇの育成方法について図３〜８をもとに説明する。尚、本実施例では、シート材３を蒔き芝工法で使用した場合で説明しているが、播種工法で使用しても良いし、後述する実施例２における蒔き芝工法及び播種工法の双方を併用する場合に使用しても良い。
【００３４】
まず、図３に図示したように約２ｍ２の束状芝苗１ａ（芝材１）を水でばらばらにほぐし、このばらした芝苗１ａを約５００ｍ２の土壌Ｅ（造形、整地されたグリーン面）に均一に蒔く。尚、育成する芝生Ｇとしてベント芝（ベントグラス）を採用している。
【００３５】
続いて、図４に図示したように芝苗１ａが隠れる程度（風で飛ばされない程度）に目砂散布機により目砂６を施し、レーキで均し、十分な散水を行なう。グリーンのアンジュレーションがある場合、高い方から低い方に目砂散布機を移動させる。
【００３６】
続いて、図５に図示したように芝苗１ａを蒔いた領域を複数のシート材３を並べた状態で被覆する。図６に図示したようにシート材３はその周縁部に刺した固定釘５で土壌Ｅに固定され、隣接するシート材３の端部同士はオーバーラッピング状態とされて固定釘５で固定される。
【００３７】
シート材３は、前述のように季節（気温・地温）に応じて前述した寒い時期用のシート材３と暑い時期用のシート材３とを使い分けるが、この場合、芝生Ｇはベントグラスの為、寒い時期用のシート材３を用いる。
【００３８】
このシート材３を被覆している段階において散水を行なったり芝生Ｇの成長具合を観察するなど芝生Ｇの育成状況を管理する（図７に図示したようにシート材３を持ち上げるように芝生Ｇは成長する）。
【００３９】
続いて、芝生Ｇが十分に成長したことを確認した後、シート材３を撤去し（図８参照）、その後は常法通り、散水、ローラー転圧、刈り込み、目砂、施肥、害虫予防行為を適宜行い、芝生Ｇの育成が完了する。
【００４０】
本発明者は、前述したシート材３を使用した育成方法により芝生Ｇを育成した場合、シート材３を使用しない場合に比し、確実に良質な芝生Ｇが安価で迅速に育成できることを確認している。これは、前述した機能を発揮するシート材３を使用することで施工場所における気温や地温などの温度の影響を受けにくく、安定した育成環境が得られるからと考えられる。
【００４１】
また、本発明者は、シート材３に設けられる貫通孔２の散在密度の相違による芝生Ｇの育成状況に差が生じる点を下記の実験１及び実験２により確認している。
【００４２】
実験１
貫通孔２の散在密度の異なる２つのシート材３を用意し、この２つのシート材３夫々を、気温・地温の寒い２月（平均気温３．３℃、平均地温６．１℃）に前述した本実施例に係る芝生Ｇの育成方法を行い、４月（平均気温１２．６℃、平均地温１３．２℃）にシート材３を撤去して観察したところ、貫通孔２の散在密度の粗い（貫通孔２同士の間隔が広い）シート材３を被覆して育成した領域の芝生Ｇは約１５ｃｍ〜２０ｃｍまで延びており、一方、貫通孔２の散在密度の細かい（貫通孔２同士の間隔が狭い）シート材３で育成を被覆して育成した領域の芝生Ｇは約５ｃｍ〜１０ｃｍ程度で成育不良を起こすことを確認した。
【００４３】
従って、この実験１から、散在密度の粗いシート材３はその保温効果が高い為、寒い時期に使用するシート材３として有効であると言える。
【００４４】
実験２
貫通孔２の散在密度の異なる２つのシート材３を用意し、この２つのシート材３夫々を、気温・地温の暖かい５月中旬に前述した本実施例に係る芝生Ｇの育成方法を行い、６月にシート材３を撤去して観察したところ、貫通孔２の散在密度の細かい（貫通孔２同士の間隔が狭い）シート材３で育成を被覆して育成した領域の芝生Ｇは約３ｃｍ〜１０ｃｍまで延びており、一方、貫通孔２の散在密度の粗い（貫通孔２同士の間隔が広い）シート材３を被覆して育成した領域の芝生Ｇは成育不良（病気の発生）を起こしていた。
【００４５】
従って、この実験２から、散在密度の細かいシート材３はその通気性が良好で蒸れにくく且つ適度な水分を保持する為、暑い時期に使用するシート材３として有効であると言える。
【００４６】
以上のように、施工場所における気温や地温などの温度条件に合わせて前記貫通孔２の散在密度が異なるシート材３を用いると有効である。
【００４７】
本実施例は上述のように構成したから、常に芝生Ｇの育成に適した環境が得られ、自然環境に応じて簡易且つ確実に良質な芝生Ｇを育成することができ、しかも、育成に適した環境が安定して得られることになるため為、良質な芝生Ｇの迅速な育成が可能となり、そして更に、散水等の作業が軽減できる為、コスト面にも秀れることになる。
【００４８】
また、本実施例は、新設グリーンの造成、ナセリーの造成、コウライグリーンからベントグリーンへの切り替えなどを確実に良質の高い芝生を安価に迅速に作ることができる。
【００４９】
また、本実施例は、シート材３により土壌Ｅに蒔いた芝材１が風雨などで移動してしまうことを確実に防止することができ、ムラのない均一な芝生を育成することができる。
【００５０】
また、本実施例は、シート材３として透明なシート材３を採用した場合には、芝生Ｇの育成に必要な光を取り入れることができ、しかも、芝生Ｇの育成度合いの確認もシート材３を被覆した状態で確実に行なえることになる。
【００５１】
また、本実施例は、シート材３を蒔き芝工法及び播種工法の双方を併用する際にも使用している。
【００５２】
以下、芝生Ｇの育成方法について図９〜11をもとに説明する。
【００５３】
まず、約２０ｍ２の束状芝苗１ａ（芝材１）を水でばらばらにほぐし、このばらした芝苗１ａを約１０００ｍ２の土壌Ｅ（造形、整地されたグリーン面）に均一に蒔く。尚、育成する芝生Ｇとしてベント芝（ベントグラス）を採用している（図３参照）。
【００５４】
続いて、図９に図示したように芝苗１ａが隠れる程度（風で飛ばされない程度）に目土７を施すとともに該目土７に肥料を付与し、その上に芝種１ｂを播種する。
【００５５】
続いて、図10に図示したようにバンカー均し機のバギータイヤ８を走らせて目土７に凹凸を形成したり、バンカーレーキで筋を形成する。
【００５６】
この目土７に形成される凹凸や筋などの凹み部９は、所謂育苗床の機能を発揮し、該目土７における保水機能を高めるなど芝種１ｂの発芽を助長するに貢献することになる。
【００５７】
続いて、図11に図示したように芝苗１ａ及び芝種１ｂを蒔いた領域を複数のシート材３で被覆する。
【００５８】
その後は、前述した実施例１と同様の工程にて芝生Ｇを育成することになる。
【００５９】
以上のように構成したから、シート材３を使用することで播種工法及び蒔き芝工法の双方を併用することのメリット（均一な芝生Ｇの育成が可能）を最大限に活かすことができるなど簡易且つ確実に良質な芝生Ｇを育成し得ることになる。
【００６０】
その余は前述した実施例と同様である。
【００６１】
尚、本発明は、本実施例に限られるものではなく、各構成要件の具体的構成は適宜設計し得るものである。
【図面の簡単な説明】
【００６２】
【図１】本実施例に係るシート材を示す斜視図である。
【図２】本実施例に係るシート材を示す斜視図である。
【図３】本実施例に係る芝の育成方法の説明図である。
【図４】本実施例に係る芝の育成方法の説明図である。
【図５】本実施例に係る芝の育成方法の説明図である。
【図６】本実施例に係る芝の育成方法の説明図である。
【図７】本実施例に係る芝の育成方法の説明図である。
【図８】本実施例に係る芝の育成方法の説明図である。
【図９】本実施例に係る芝の育成方法の説明図である。
【図１０】本実施例に係る芝の育成方法の説明図である。
【図１１】本実施例に係る芝の育成方法の説明図である。
【符号の説明】
【００６３】
Ｅ  土壌
１  芝材
１ａ  芝苗
１ｂ  芝種
２  貫通孔
３  シート材
６  目砂
７  目土
９  凹み部
【図１】
0004739861.tif 000002
【図２】
0004739861.tif 000003
【図３】
0004739861.tif 000004
【図４】
0004739861.tif 000005
【図５】
0004739861.tif 000006
【図６】
0004739861.tif 000007
【図７】
0004739861.tif 000008
【図８】
0004739861.tif 000009
【図９】
0004739861.tif 000010
【図１０】
0004739861.tif 000011
【図１１】
0004739861.tif 000012